(57)【要約】【課題】電極の寿命を長くすると共に、除菌及び脱臭の性能を安定的に実現できる電解水散布装置を提供すること。【解決手段】電解部１７の電極部材の通電時間Ｘ１をカウントし、その通電時間Ｘ１が通電時間閾値Ａを超えると（Ｓ２：Ｙｅｓ）、貯水部１４の排水を促がす表示を排水表示部２１にて行う（Ｓ４）。また、貯水部１４へ投入された電解促進錠剤の個数Ｘ３をカウントし、その個数Ｘ３が電解促進錠剤閾値Ｃを超えると（Ｓ３：Ｙｅｓ）、貯水部１４の排水を促がす表示を排水表示部２１にて行う（Ｓ４）。【選択図】図７
2019024984.tif 000002
【特許請求の範囲】
【請求項１】
電解水を生成する電解水生成部と前記電解水生成部が生成した電解水を散布する散布部とを備えた電解水散布装置であって、
前記電解水生成部は、
水を貯めるための貯水部と、
前記貯水部内の水を電気分解して電解水を生成する電解部と、
前記貯水部の排水を促がす旨の表示を行う排水表示部と、
前記電解部と前記排水表示部とを制御する制御部と、を備えた電解水散布装置。
【請求項２】
前記制御部は、
前記電解部を構成する電極への通電時間をカウントする通電カウント部と、
前記通電カウント部がカウントした前記通電時間と通電時間閾値とを比較する通電時間比較部と、を備え、
前記通電時間比較部の比較結果において前記通電時間が前記通電時間閾値を超えた場合に前記排水表示部に前記貯水部の排水を促がす旨の表示を行う請求項１記載の電解水散布装置。
【請求項３】
前記制御部は、
当該制御部への通電時間をカウントする通電カウント部と、
前記通電カウント部がカウントした前記通電時間と通電時間閾値とを比較する通電時間比較部と、を備え、
前記通電時間比較部の比較結果において前記通電時間が前記通電時間閾値を超えた場合に前記排水表示部に前記貯水部の排水を促がす旨の表示を行う請求項１記載の電解水散布装置。
【請求項４】
前記電解水生成部は、
前記貯水部に電解促進錠剤を投入する電解促進錠剤投入部を備え、
前記制御部は、
前記電解促進錠剤投入部がカウントした電解促進錠剤の個数をカウントする個数カウント部と、
前記個数カウント部がカウントした前記電解促進錠剤の個数と電解促進錠剤閾値とを比較する個数比較部と、を備え、
前記個数比較部の比較結果において前記個数が前記電解促進錠剤閾値を超えた場合に前記排水表示部に前記貯水部の排水を促がす旨の表示を行う請求項１から３のいずれかに記載の電解水散布装置。
【請求項５】
前記貯水部内の水の導電率を検知する導電率検知部を備え、
前記制御部は、
前記導電率検知部が検知した導電率と導電率閾値とを比較する導電率比較部を備え、
前記導電率比較部の比較結果に応じて前記排水表示部に前記貯水部の排水を促がす旨の表示を行う請求項１から４のいずれかに記載の電解水散布装置。
【請求項６】
吸気口と吹出口とを有する本体ケースを備え、
前記散布部は、
前記貯水部内の電解水に浸漬させて保水し前記吸気口から流入した空気に接触するフィルター部と、
前記フィルター部に接触した空気を前記吹出口に導く送風部と、
を備えた請求項１から５のいずれかに記載の電解水散布装置。
【発明の詳細な説明】
【技術分野】
【０００１】
本発明は、電解水を生成して散布する電解水散布装置に関する。
【背景技術】
【０００２】
空気中の細菌、真菌、ウイルス、臭い等の除去（不活性化を含む）を行うために、電気分解により次亜塩素酸を含む電解水を生成して散布する電解水散布装置が知られている（特許文献１）。次亜塩素酸の生成には、電気分解の対象となる水に対して塩等の電解促進錠剤を投入し、塩化物イオンを含む水を生成しておく必要がある。
【先行技術文献】
【特許文献】
【０００３】
【特許文献１】特開２００８−２９５７４号公報
【発明の概要】
【発明が解決しようとする課題】
【０００４】
しかしながら、電解促進錠剤を多く投入しすぎたり、電解促進錠剤を投入してからの時間が長すぎたりすると、水に含まれる塩化物イオンの濃度が過多又は過少となり、次亜塩素酸の生成量を所望の量に安定して維持することができなかった。また、電気分解する水が汚れたまま電気分解を行うと、電気分解を行う電極に汚れが付着して電極の寿命が短くなるおそれがあった。
【０００５】
本発明は、上記課題を解決するためになされたものであり、電極の寿命を長くすると共に、除菌及び脱臭の性能を安定的に実現できる電解水散布装置を提供することを目的とする。
【課題を解決するための手段】
【０００６】
この目的を達成するために、本発明の電解水散布装置は、以下を特徴とするものである。即ち、本発明の電解散布装置は、電解水生成部と、散布部と、を備える。電解水生成部は、電解水を生成するもので、貯水部と、電解部と、排水表示部と、制御部と、を備える。散布部は、電解水生成部が生成した電解水を散布する。貯水部は、水を貯めるためのものである。電解部は、貯水部内の水を電気分解して電解水を生成する。排水表示部は、貯水部の排水を促がす旨の表示を行う。制御部は、電解部と排水表示部とを制御する。
【発明の効果】
【０００７】
本発明の電解水散布装置によれば、制御部が、排水表示部を制御し、排水表示部による貯水部の排水を促がす旨の表示を行う。これにより、所望の濃度の活性酸素種が生成できない状況にあったり、貯水部内の水が汚れた状況にあったりするような場合に、ユーザに貯水部の排水を促がすことができる。よって、貯水部の水を新たな水に交換できるので、その水の汚れを解消でき、またその水に含まれる塩化物イオンの濃度を最適なものとすることができる。従って、電極の寿命を長くすると共に、除菌及び脱臭の性能を安定的に実現できるという効果を得ることができる。
【図面の簡単な説明】
【０００８】
【図１】本発明の第１実施形態に係る電解水散布装置の斜視図である。
【図２】同電解水散布装置の斜視図である。
【図３】（ａ）は、表示部を模式的に示した模式図であり、（ｂ）は、扉内操作部を模式的に示した模式図である。
【図４】同電解水散布装置の断面図である。
【図５】同電解水散布装置の断面図である。
【図６】同電解水散布装置の機能ブロック図である。
【図７】（ａ）は、電解水生成部の機能ブロック図であり、（ｂ）は、排水判断処理を示すフローチャートである。
【図８】本発明の第２実施形態に係る電解水散布装置の電解水生成部の機能ブロック図である。
【図９】本発明の第３実施形態に係る電解水散布装置の電解水生成部の機能ブロック図である。
【発明を実施するための形態】
【０００９】
以下、本発明を実施するための形態について添付図面を参照して説明する。
【００１０】
（第１実施形態）
まず、図１〜７を参照して、本発明の第１実施形態に係る電解水散布装置Ｄについて説明する。図１は、電解水散布装置Ｄの斜視図であり、電解水散布装置Ｄを前面側から見た図である。図２は、電解水散布装置Ｄの斜視図であり、図１のパネル３を開いた状態で電解水散布装置Ｄを前面側から見た図である。
【００１１】
図１、２に示す通り、電解水散布装置Ｄは、略箱形状の本体ケース１を備え、本体ケース１の両側面には略四角形状の吸気口２を有している。本体ケース１の天面には、開閉式の吹出口６が設けられている。図１、２では、吹出口６は閉じた状態である。
【００１２】
本体ケース１の天面側前面には、表示部２０が設けられている。図３（ａ）は、その表示部２０を模式的に示した模式図である。表示部２０は、点灯状態によって、電解水散布装置Ｄの状態を示したり、ユーザに各種指示を行ったりするためのランプが複数設けられており、例えば、排水表示部２１を備えている。排水表示部２１は、後述する貯水部１４の排水を促がす旨の表示を行うものである。排水表示部２１の点灯状態によって、ユーザに対して、貯水部１４の排水を促がすことができる。
【００１３】
図２に戻り、本体ケース１の前面側から見て、右側の側面（本体ケース１の一方側の側面）である第１の本体側面１Ａには、開閉可能なパネル３が設けられている。本体ケース１の一方側の側面の吸気口２は、パネル３に設けられている。パネル３を開くと、縦長四角形状の開口４が現れる。開口４から、後述する貯水部１４、給水部１５、錠剤投入ケース１８ａ等が取り出し可能に構成されている。
【００１４】
また、本体ケース１内には、開口４よりユーザが操作可能な扉内操作部２５が設けられている。図３（ｂ）は、その扉内操作部２５を模式的に示した模式図である。扉内操作部２５には、ユーザが電解水散布装置Ｄに対して各種通知をするための操作ボタンが複数設けられており、例えば、排水解除ボタン２６が設けられている。
【００１５】
排水解除ボタン２６は、排水表示部２１による貯水部１４の排水を促がす旨の表示がなされた場合に、ユーザが貯水部１４の排水を行った後、その排水を行った旨を電解水散布装置Ｄに対して通知するための操作ボタンである。ユーザにより排水解除ボタン２６が操作されると、電解水散布装置Ｄは、貯水部１４の排水が完了したことを把握し、排水表示部２１における表示を終了する。
【００１６】
ここで、上述した通り、貯水部１４は、パネル３を開いて現れる開口４から取り出し可能となっており、貯水部１４を開口４から取り出して排水が行われる。一方で、排水解除ボタン２６は、パネル３を開かないと操作ができない位置に設けられている。これにより、排水表示部２１による貯水部１４の排水を促がす旨の表示がなされた場合、その表示を終了させるためには、ユーザはパネル３を開かなければならない。よって、電解水散布装置Ｄは、パネル３を開くという動作を通して、ユーザに対し貯水部１４の排水を行うように促がすことができる。また、排水解除ボタン２６を操作する場合に、開口４から貯水部１４の状態をユーザが確認できる。これにより、ユーザは、貯水部１４が排水されていることを目視したうえで、排水解除ボタン２６を操作することができる。
【００１７】
図４は、電解水散布装置Ｄの正面視中央部分を縦方向に切った断面図であり、電解水散布装置Ｄを右側から見た図である。図５は、電解水散布装置Ｄの正面視右側を縦方向に切った断面図であり、電解水散布装置Ｄにおける右側から見た図である。図６は、電解水散布装置Ｄの主な機能をブロックで示した機能ブロック図である。
【００１８】
図２、図４〜図６に示すように、本体ケース１内には、電解水生成部５と、給水部１５と、散布部１９と、風路８とが備えられている。電解水生成部５は、上述した排水表示部２１のほか、貯水部１４と、電解部１７と、電解促進錠剤投入部１８と、制御部３０とを備えている。
【００１９】
貯水部１４は、天面を開口した箱形状しており、水を貯水できる構造となっている。貯水部１４は、本体ケース１の下部に配置され、本体ケース１から水平方向にスライドして着脱可能となっており、開口４から取り出すことができる。貯水部１４は、給水部１５から供給される水を貯水する。
【００２０】
電解部１７は、電極部材（図示せず）を備えており、この電極部材が貯水部１４内の水に浸かるように設置される。電解部１７は、この電極部材に通電することにより、貯水部１４内の塩化物イオンを含む水を電気化学的に電気分解し、活性酸素種を含む電解水を生成させる。ここで、活性酸素種とは、通常の酸素よりも高い酸化活性を持つ酸素分子と、その関連物質のことである。例えば、活性酸素種には、スーパーオキシドアニオン、一重項酸素、ヒドロキシラジカル、或いは過酸化水素といった所謂狭義の活性酸素に、オゾン、次亜塩素酸（次亜ハロゲン酸）等といった所謂広義の活性酸素が含まれる。
【００２１】
電解部１７は、電極部材への電気分解するための通電を行う通電時間と、その通電停止後の時間、つまり通電を行っていない時間である非通電時間を一周期として、その一周期を複数回繰り返すことで、電解水を生成する。電極部材に対し、非通電時間を設けることで、電極部材の寿命を延ばすことができる。なお、非通電時間に対して通電時間を長くすれば、一周期当たりにおいてより多くの量の活性酸素種を含む電解水が生成される。また通電時間に対して非通電時間を長くすれば、一周期当たりの活性酸素種の生成が抑えられる。さらに、通電時間における電力量を大きくすれば、より多くの量の活性酸素種を含む電解水が生成される。
【００２２】
電解促進錠剤投入部１８は、錠剤投入ケース１８ａと、錠剤投入ケース１８ａ内に設けた錠剤投入部材（図示せず）と、錠剤投入ケース１８ａの上部に着脱自在に設けられた錠剤投入カバー１８ｂとを備えている。錠剤投入ケース１８ａは、開口４から取り出し可能に構成される。ユーザは、取り出した錠剤投入ケース１８ａから錠剤投入カバー１８ｂを外すことで、ユーザが錠剤投入ケース１８ａ内に電解促進錠剤を装填できる。
【００２３】
電解促進錠剤投入部１８は、制御部３０より電解促進錠剤の投入指示があると、錠剤投入部材を回動させる。錠剤投入部材が回動すると、電解促進錠剤が錠剤投入ケース１８ａの底面の落下開口（図示せず）より貯水部１４に落下する。電解促進錠剤投入部１８は、錠剤投入ケース１８ａから貯水部１４に落下された電解促進錠剤の個数をカウントし、錠剤投入ケース１８ａから貯水部１４に電解促進錠剤が一錠落下したと判断すると、錠剤投入部材の回動を停止する。この電解促進錠剤が貯水部１４内の水に溶け込むことにより、貯水部１４の水が塩化物イオンを含む水が生成される。なお、電解促進錠剤の一例は、塩化ナトリウムである。
【００２４】
なお、電解水散布装置Ｄは、電解促進錠剤投入部１８を有していなくてもよい。この場合は、電解水散布装置Ｄが、ユーザに対して電解促進錠剤の投入を指示する報知を表示や発音によって行い、ユーザに電解促進錠剤を直接貯水部１４へ投入させるようにしてもよい。電解促進錠剤投入部１８が設けられていない場合は、以後の説明においてする電解促進錠剤投入部１８関連の制御部３０による制御は省略される。
【００２５】
制御部３０は、例えば、本体ケース１（図１参照）の天面に設けられた操作パネルの裏側に設けられ、電解水生成部５に関する制御を行う。具体的には、制御部３０は、電解部１７による水の電気分解を制御する。また、制御部３０は、ユーザに対して貯水部１４の排水を促がす旨の表示を制御する。また、制御部３０は、電解促進錠剤投入部１８による電解促進錠剤の投入を制御する。この制御部３０の詳細については、図７を参照して後述する。
【００２６】
給水部１５は、本体ケース１内部の正面視右側の側面に設置され、貯水部１４から着脱可能な構造となっており、開口４から取り出すことができる。給水部１５は、貯水部１４の底面に設けられたタンク保持部１４ａに装着されている。給水部１５は、水を貯水するタンク１５ａと、タンク１５ａの開口（図示せず）に設けられた蓋１５ｂとを備えている。蓋１５ｂの中央には、開閉部（図示せず）が設けられており、この開閉部が開くと、タンク１５ａ内の水が、貯水部１４へ供給される。
【００２７】
具体的には、タンク１５ａの開口を下向きにして、給水部１５を貯水部１４のタンク保持部１４ａに取り付けると、タンク保持部１４ａによって開閉部が開く。つまり、水を入れた給水部１５がタンク保持部１４ａに取り付けられると、開閉部が開いて貯水部１４に給水され、貯水部１４内に水が溜まる。貯水部１４内の水位が上昇して蓋１５ｂのところまで到達すると給水部１５の開口が水封されるので給水が停止し、給水部１５の内部には水が残り、貯水部１４内の水位が下がった場合に都度、タンク１５ａ内部の水が貯水部１４に給水される。即ち、貯水部１４内の水位は一定に保たれる。
【００２８】
なお、電解水散布装置Ｄは、給水部１５としてタンク１５ａを有していなくてもよい。この場合は、電解水散布装置Ｄに対して、水を供給するラインを水道水よりひき、貯水部１４内の水位が下がった場合に、貯水部１４内の水位が所定位置に上昇するまで水道水を供給するようにしてもよい。
【００２９】
散布部１９は、送風部７と、フィルター部１６とを備える。送風部７は、本体ケース１の中央部に設けられ、モータ部９と、モータ部９により回転するファン部１０と、それらを囲むスクロール形状のケーシング部１１とを備えている。モータ部９は、ケーシング部１１に固定されている。
【００３０】
ファン部１０は、シロッコファンであり、モータ部９から水平方向に延びた回転軸９ａに固定され、モータ部９は、ケーシング部１１に固定されている。モータ部９の回転軸９ａは、本体ケース１の前面側から背面側に延びている。ケーシング部１１は、ケーシング部１１の本体ケース１における上面側に吐出口１２を備え、ケーシング部１１の本体ケース１における背面側に吸込口１３を有している。送風部７の風量は、温度や湿度、ガスの臭いレベルに応じて、風量単位時間（例えば、５分）毎に決定される。決定された風量に基づき、モータ部９の回転量が制御される。
【００３１】
フィルター部１６は、貯水部１４に貯水された電解水と、送風部７によって本体ケース１内に流入した室内空気とを接触させる部材である。フィルター部１６は、円筒状に構成され、円周部分に空気が流通可能な孔を備えたフィルター１６ａを配置し、その一端が貯水部１４に貯水された電解水に浸漬され、保水されるように、フィルター１６ａの中心軸を回転中心として貯水部１４に回転自在に内蔵されている。そして、フィルター部１６は、駆動部（図示しない）により回転され、電解水と室内空気を連続的に接触させる構造となっている。
【００３２】
風路８は、吸気口２と吹出口６とを連通し、吸気口２から順に、フィルター部１６、送風部７、吹出口６を備えている。モータ部９によってファン部１０が回転すると、吸気口２から吸い込まれ風路８内に入った外部の空気は、順に、フィルター１６ａ、送風部７、吹出口６を介して、電解水散布装置Ｄの外部へ吹き出される。これにより、貯水部１４にて生成された電解水が外部へ散布される。なお、電解水散布装置Ｄは、必ずしも電解水そのものを撒くものでなくてもよく、結果的に生成した電解水由来（揮発を含む）の活性酸素種を散布するものであっても電解水散布に含まれる。
【００３３】
図７（ａ）は、電解水生成部５の詳細な機能をブロックで示した機能ブロック図である。制御部３０は、通電カウント部３１と、通電時間比較部３２と、個数カウント部３３と、個数比較部３４とを備えている。通電カウント部３１は、電解部１７を構成する電極部材への通電が行われた通電時間Ｘ１をカウントするカウンタにより構成される。具体的には、通電カウント部３１は、貯水部１４の排水が行われてからの電極部材への通電時間Ｘ１をカウントする。
【００３４】
個数カウント部３３は、制御部３０が電解促進錠剤投入部１８に対して電解促進錠剤の貯水部１４への投入を指示した場合に、その１回の指示に対して電解促進錠剤投入部１８がカウントした投入された電解促進錠剤の個数Ｘ３をカウントする。なお、個数カウンタ部３３は、複数回にわたる制御部３０による電解促進錠剤の投入指示に対して、電解促進錠剤投入部１８がカウントした投入された電解促進錠剤の個数Ｘ３をカウントするものであってもよい。
【００３５】
ここで、図７（ｂ）を参照して、制御部３０により実行される排水判断処理について説明する。図７（ｂ）は、この排水判断処理を示すフローチャートである。制御部３０は、排水判断処理を所定時間（例えば、１分）毎に実行する。
【００３６】
この排水判断処理では、まず、ユーザにより設定された風量と電気分解強度設定で電解水の生成及び散布をするよう制御し（Ｓ１）、次いで、通電カウント部３１がカウントした通電時間（貯水部１４の排水が行われてからの電極部材への通電時間）Ｘ１と、通電時間閾値Ａとを比較する（Ｓ２）。このＳ２の処理を実行する制御部３０が、通電時間比較部３２を構成する。
【００３７】
Ｓ２の処理の比較の結果、通電時間Ｘ１が、通電時間閾値Ａを超えた（Ｘ１＞Ａ）と判断された場合に（Ｓ２：Ｙｅｓ）、排水判断処理ではＳ４の処理へ移行し、電解水の生成及び散布を停止して、排水表示部２１による排水を促がす旨の表示を行う。その表示は、貯水部１４の排水が行われるまで継続され、排水が行われた後、その表示を終了させる。貯水部１４の排水が行われたかの判断は、排水解除ボタン２６がユーザにより操作されたか否かを判断することにより行う。即ち、排水解除ボタン２６がユーザにより操作された場合に、貯水部１４の排水が完了したと判断する。
【００３８】
なお、貯水部１４内が渇水状態にあることを検知する渇水検知部を設け、排水解除ボタン２６がユーザにより操作されたときに、渇水検知部により貯水部１４内が渇水状態にあることが検知されたことを条件に、貯水部１４の排水が完了したと判断してもよい。これにより、貯水部１４の排水が行われたことをより確実に判断できる。
【００３９】
また、貯水部１４の本体ケース１からの着脱を検知可能な検知部を設け、貯水部１４が本体ケース１から一旦取り外された後、再び取り付けられたときに、渇水検知部によって貯水部１４内が渇水状態にある場合に、貯水部１４の排水が行われたと判断してもよい。
【００４０】
渇水検知部の検知は、必ずしも完全に貯水部１４内の水がなくなった状態を検知するものでなくてもよく、例えば、フィルター１６ａの一端が貯水部１４内の水に浸漬しないレベルとなった状態を渇水状態として検知してもよい。
【００４１】
一方、Ｓ２の処理の比較の結果、通電時間Ｘ１が、通電時間閾値Ａを超えていない（Ｘ１≦Ａ）と判断された場合に（Ｓ２：Ｎｏ）、排水判断処理では、次いで、個数カウント部３３がカウントした、貯水部１４へ投入された電解促進錠剤の個数Ｘ３と、電解促進錠剤閾値Ｃとを比較する（Ｓ３）。このＳ３の処理を実行する制御部３０が、個数比較部３４を構成する。
【００４２】
Ｓ３の処理の比較の結果、貯水部１４へ投入された電解促進錠剤の個数Ｘ３が、電解促進錠剤閾値Ｃを超えた（Ｘ３＞Ｃ）と判断された場合に（Ｓ３：Ｙｅｓ）、排水判断処理ではＳ４の処理へ移行し、電解水の生成及び散布を停止して、排水表示部２１による排水を促がす旨の表示を行う。その表示は、上述した通り、貯水部１４の排水が行われるまで継続され、排水が行われた後、その表示を終了させる。
【００４３】
一方、Ｓ３の処理の比較の結果、貯水部１４へ投入された電解促進錠剤の個数Ｘ３が、電解促進錠剤閾値Ｃを超えていない（Ｘ３≦Ｃ）と判断された場合（Ｓ３：Ｎｏ）と、Ｓ４の処理が終了した後、排水判断処理では、ユーザにより設定された風量と電気分解強度設定で電解水の生成及び散布をするよう制御し（Ｓ５）、その後、排水判断処理を終了する。
【００４４】
なお、Ｓ２の処理において、通電時間Ｘ１が通電時間閾値Ａ以上となった（Ｘ１≧Ａ）場合に、排水表示部２１による貯水部１４の排水を促がす表示を行ってもよい。また、通電時間Ｘ１が通電時間閾値Ａに達した（Ｘ１＝Ａ）場合、排水表示部２１による貯水部１４の排水を促がす表示を行ってもよい。また、Ｓ３の処理において、貯水部１４へ投入された電解促進錠剤の個数Ｘ３が電解促進錠剤閾値Ｃ以上となった（Ｘ３≧Ｃ）場合に、排水表示部２１による貯水部１４の排水を促がす表示を行ってもよい。また、貯水部１４へ投入された電解促進錠剤の個数Ｘ３が電解促進錠剤閾値Ｃに達した（Ｘ３＝Ｃ）場合に、排水表示部２１による貯水部１４の排水を促がす表示を行ってもよい。
【００４５】
以上の通り、第１実施形態に係る電解水散布装置Ｄでは、電解部１７の電極部材の通電時間Ｘ１をカウントし、その通電時間Ｘ１が通電時間閾値Ａを超えると、貯水部１４の排水を促がす表示が排水表示部２１にて行われる。これにより、通電時間Ｘ１が通電時間閾値Ａを超える毎に、貯水部１４の排水が促がされる。従って、第１実施形態に係る電解水散布装置Ｄは、電気分解により貯水部１４内の水の塩化物イオンの濃度が低下し、適した量の活性酸素種が生成できなくなるタイミングで、ユーザに対して貯水部１４の排水を行わせることができるので、貯水部１４の水を新たな水に交換し、その水に含まれる塩化物イオンの濃度を最適なものとすることができる。
【００４６】
また、第１実施形態に係る電解水散布装置Ｄでは、貯水部１４へ投入された電解促進錠剤の個数Ｘ３をカウントし、その個数Ｘ３が電解促進錠剤閾値Ｃを超えると、貯水部１４の排水を促がす表示が排水表示部２１にて行われる。これにより、第１実施形態に係る電解水散布装置Ｄは、貯水部１４へ投入された電解促進錠剤が多すぎて、所望した量よりも多くの量の活性酸素種が発生するおそれがある場合に、ユーザに対して貯水部１４の排水を行わせることができる。よって、第１実施形態に係る電解水散布装置Ｄは、そのような場合に貯水部１４の水を新たな水に交換し、その水に含まれる塩化物イオンの濃度を最適なものとすることができる。また、第１実施形態に係る電解水散布装置Ｄは、塩化物イオンの濃度が高い状態で通常の濃度状態における電気分解の設定で電極部材が動作することにより、電極部材へのスケールの付着による寿命の低下を抑制することができる。
【００４７】
このように、第１実施形態に係る電解水散布装置Ｄは、排水表示部２１にて貯水部１４の排水を促がす表示を行うことにより、所望の濃度の活性酸素種が生成できない状況にあったり、貯水部１４内の水が汚れた状況にあったりするような場合に、ユーザに貯水部１４の排水を促がすことができる。よって、第１実施形態に係る電解水散布装置Ｄは、そのような場合に貯水部１４の水を新たな水に交換できるので、その水の汚れを解消でき、またその水に含まれる塩化物イオンの濃度を最適なものとすることができる。従って、第１実施形態に係る電解水散布装置Ｄは、電極部材の寿命を長くすると共に、除菌及び脱臭の性能を安定的に実現できる。
【００４８】
（第２実施形態）
次いで、図８を参照して、本発明の第２実施形態に係る電解水散布装置Ｄについて説明する。第２実施形態に係る電解水散布装置Ｄは、第１実施形態に係る電解水散布装置Ｄとは異なる条件で、排水表示部２１による貯水部１４の排水を促がす表示を行う。
【００４９】
以下、第２実施形態に係る電解水散布装置Ｄについて、第１実施形態に係る電解水散布装置Ｄと相違する点を中心に説明する。第１実施形態に係る電解水散布装置Ｄと同一の構成については、同一の符号を付し説明を省略する。
【００５０】
図８は、第２実施形態に係る電解水散布装置Ｄにおける電解水生成部５の詳細な機能をブロックで示した機能ブロック図である。制御部３０は、第１実施形態に係る通電カウント部３１及び通電時間比較部３２に代えて、通電カウント部３５及び通電時間比較部３６を備えている。
【００５１】
通電カウント部３５は、制御部３０への通電時間Ｘ２をカウントするカウンタにより構成される。具体的には、通電カウント部３５は、貯水部１４の排水が行われてからの制御部３０への通電時間Ｘ２をカウントする。
【００５２】
通電時間比較部３６は、通電カウント部３５によりカウントされた通電時間（貯水部１４の排水が行われてからの制御部３０への通電時間）Ｘ２と通電時間閾値Ｂとを比較する。そして、通電時間比較部３６において、通電時間Ｘ２が通電時間閾値Ｂを超えた場合に（Ｘ２＞Ｂ）、制御部３０は、電解水の生成及び散布を停止して、排水表示部２１に対し排水を促がす旨の表示を行わせる。その表示は、貯水部１４の排水が行われるまで継続され、排水が行われた後、その表示を終了させる。
【００５３】
これにより、通電時間Ｘ２が通電時間閾値Ｂを超える毎に、貯水部１４の排水が促がされる。ここで、通電時間Ｘ２は、制御部３０への通電時間、即ち、電解水散布装置Ｄへの電源通電時間であることから、第２実施形態に係る電解水散布装置Ｄは、通電時間閾値Ｂを調整することで、貯水部１４内の塩化物イオンが日光等で自然減衰することや、貯水部１４内の汚れも考慮した最適なタイミングで、排水を促がすことができる。よって、第２実施形態に係る電解水散布装置Ｄは、電極の寿命を長くすると共に、除菌及び脱臭の性能を安定的に実現できる。
【００５４】
（第３実施形態）
次いで、図９を参照して、本発明の第３実施形態に係る電解水散布装置Ｄについて説明する。第３実施形態に係る電解水散布装置Ｄも、第１実施形態に係る電解水散布装置Ｄとは異なる条件で、排水表示部２１による貯水部１４の排水を促がす表示を行う。
【００５５】
以下、第３実施形態に係る電解水散布装置Ｄについて、第１実施形態に係る電解水散布装置Ｄと相違する点を中心に説明する。第１実施形態に係る電解水散布装置Ｄと同一の構成については、同一の符号を付し説明を省略する。
【００５６】
図９は、第３実施形態に係る電解水散布装置Ｄにおける電解水生成部５の詳細な機能をブロックで示した機能ブロック図である。貯水部１４は、導電率検知部１４ｃを備えている。導電率検知部１４ｃは、貯水部１４内の水の導電率Ｘ４を検知する。
【００５７】
制御部３０は、導電率比較部３７を備えている。導電率比較部３７は、導電率検知部１４ｃが検知した導電率Ｘ４と導電率閾値Ｅとを比較する。そして、導電率比較部３７の比較結果において、導電率Ｘ４が導電率閾値Ｅを超えた場合に（Ｘ４＞Ｅ）、制御部３０は、電解水の生成及び散布を停止して、排水表示部２１に対し排水を促がす旨の表示を行わせる。その表示は、貯水部１４の排水が行われるまで継続され、排水が行われた後、その表示を終了させる。
【００５８】
貯水部１４内の導電率Ｘ４が高い場合、貯水部１４内の水の塩化物イオンの濃度が高いか、その水が汚れている判断できる。よって、その状態で電気分解を行うと、電極部材の寿命が低下するおそれがある。第３実施形態に係る電解水散布装置Ｄは、貯水部１４内の水の導電率Ｘ４を把握し、その導電率Ｘ４に基づいて最適なタイミングで貯水部１４の排水を促がすことで、電極の寿命を長くすると共に除菌及び脱臭の性能を安定的に実現できる。
【００５９】
以上、実施形態に基づき本発明を説明したが、本発明は上記実施形態に何ら限定されるものではなく、本発明の趣旨を逸脱しない範囲内で種々の改良変形が可能であることは容易に推察できるものである。例えば、各実施形態は、それぞれ、他の実施形態が有する構成の一部又は複数部分を、その実施形態に追加し或いはその実施形態の構成の一部又は複数部分と交換等することにより、その実施形態を変形して構成するようにしても良い。また、上記各実施形態で挙げた数値は一例であり、他の数値を採用することは当然可能である。
【産業上の利用可能性】
【００６０】
本発明に係る電解水散布装置は、空気中の細菌、真菌、ウイルス、臭い等の除去（不活性化を含む）を行う電解水散布装置として有用である。
【符号の説明】
【００６１】
Ａ，Ｂ    通電時間閾値
Ｃ    電解促進錠剤閾値
Ｄ    電解水散布装置
Ｅ    導電率閾値
１    本体ケース
２    吸気口
５    電解水生成部
６    吹出口
７    送風部
１４    貯水部
１４ｃ    導電率検知部
１６    フィルター部
１７    電解部
１８    電解促進錠剤投入部
１９    散布部
２１    排水表示部
３０    制御部
３１，３５    通電カウント部
３２，３６    通電時間比較部
３３    個数カウント部
３４    個数比較部
３７    導電率比較部
【図１】
2019024984.tif 000003
【図２】
2019024984.tif 000004
【図３】
2019024984.tif 000005
【図４】
2019024984.tif 000006
【図５】
2019024984.tif 000007
【図６】
2019024984.tif 000008
【図７】
2019024984.tif 000009
【図８】
2019024984.tif 000010
【図９】
2019024984.tif 000011